(57)【要約】【課題】  閉蓋時には、キャップ本体と上蓋との係合部の嵌合を強固にして簡単に開蓋しないようにするとともに、開蓋時には、簡単に開蓋できるようにしたヒンジキャップを提供すること。【解決手段】  容器の口筒部に取着され、キャップ本体と上蓋からなるヒンジキャップにおいて、キャップ本体は、注出筒と、蓋係合筒部と、外周筒とを具え、上蓋は、頂壁と、外筒壁とを具え、外筒壁の内周下端部には、蓋係合筒部と係合する係合部が設けられ、外筒壁のヒンジの反対側は、下端部外周に摘み片が配設され、摘み片より上方に、周壁の厚さが、他の部分の周壁の厚さに比べ薄肉となる薄肉壁部が形成されていることを特徴とする。【選択図】  図１
2013151326.tif 000002
【特許請求の範囲】
【請求項１】
容器の口筒部に取着され、キャップ本体と上蓋からなるヒンジキャップにおいて、
キャップ本体は、注出筒と、蓋係合筒部と、外周筒とを具え、
上蓋は、頂壁と、外筒壁とを具え、
外筒壁の内周下端部には、蓋係合筒部と係合する係合部が設けられ、
外筒壁のヒンジの反対側は、下端部外周に摘み片が配設され、摘み片より上方に、周壁の厚さが、他の部分の周壁の厚さに比べ薄肉となる薄肉壁部が形成されていることを特徴とするヒンジキャップ。
【請求項２】
外筒壁のヒンジの反対側の外周に、中央から両側の所定の位置まで周方向に延び、下端部を残して上方から凹設される外周凹部が形成されていることを特徴とする請求項１記載のヒンジキャップ。
【請求項３】
外筒壁のヒンジの反対側の外周に、下端部を残し一定の高さに、中央から両側の所定の位置まで周方向に延びる外周凹溝が凹設されていることを特徴とする請求項１記載のヒンジキャップ。
【請求項４】
外筒壁のヒンジの反対側の外周に、下端部と上端部を残し、中央から両側の所定の位置まで周方向に延びる指掛け凹部が凹設され、
指掛け凹部の下端部側に、中央から両側へ延びる変形用凹部が凹設されていることを特徴とする請求項１記載のヒンジキャップ。
【請求項５】
外筒壁は、内周の中程から下部の間で内方に突出し、上部に比べ周壁が肉厚となる肉厚外周壁となっていることを特徴とする請求項１〜４のいずれかに記載のヒンジキャップ。
【発明の詳細な説明】
【技術分野】
【０００１】
本発明は、容器の口部に装着されるキャップ本体にヒンジを介して上蓋が連設されたヒンジキャップに関し、とくに閉蓋時に上蓋とキャップ本体との係合部分を強固に嵌合するヒンジキャップに関するものである。
【背景技術】
【０００２】
容器の口部に装着されるキャップ本体と上蓋とからなるヒンジキャップにおいて、上蓋の外周壁を肉厚にし、外周壁の変形を抑え、閉蓋時にキャップ本体と上蓋との係合部の嵌合を強固にし、簡単に開蓋しないようにしたヒンジキャップは従来より知られている（例えば、特許文献１参照）。
【先行技術文献】
【特許文献】
【０００３】
【特許文献１】特開２００４−１５５４８８号公報
【発明の概要】
【発明が解決しようとする課題】
【０００４】
しかしながら、上記特許文献１記載のヒンジキャップでは、上蓋の外周壁の変形が抑えられているため、開蓋の際に、逆に、キャップ本体と上蓋との嵌合を簡単に外すことができないという問題があった。
【０００５】
本発明は、上記問題を解決することを課題とし、閉蓋時には、キャップ本体と上蓋との係合部の嵌合を強固にして簡単に開蓋しないようにするとともに、開蓋時には、簡単に開蓋できるようにしたヒンジキャップを提供することを目的とする。
【課題を解決するための手段】
【０００６】
本発明は、上記課題を解決するため、ヒンジキャップとして、容器の口筒部に取着され、キャップ本体と上蓋からなるヒンジキャップにおいて、キャップ本体は、注出筒と、蓋係合筒部と、外周筒とを具え、上蓋は、頂壁と、外筒壁とを具え、外筒壁の内周下端部には、蓋係合筒部と係合する係合部が設けられ、外筒壁のヒンジの反対側は、下端部外周に摘み片が配設され、摘み片より上方に、周壁の厚さが、他の部分の周壁の厚さに比べ薄肉となる薄肉壁部が形成されていることを特徴とする構成を採用する。
【０００７】
外周壁の実施例として、外筒壁のヒンジの反対側の外周に、中央から両側の所定の位置まで周方向に延び、下端部を残して上方から凹設される外周凹部が形成されていることを特徴とする構成、または、外筒壁のヒンジの反対側の外周に、下端部を残し一定の高さに、中央から両側の所定の位置まで周方向に延びる外周凹溝が凹設されていることを特徴とする構成を採用する。
【０００８】
外周壁の別実施例として、外筒壁のヒンジの反対側の外周に、下端部と上端部を残し、中央から両側の所定の位置まで周方向に延びる指掛け凹部が凹設され、指掛け凹部の下端部側に、中央から両側へ延びる変形用凹部が凹設されていることを特徴とする構成を採用する。
【０００９】
また、外筒壁は、内周の中程から下部の間で内方に突出し、上部に比べ周壁が肉厚となる肉厚外周壁となっていることを特徴とする構成を採用する。
【発明の効果】
【００１０】
本発明のヒンジキャップは、上蓋の外筒壁の一部に薄肉壁部を設けることによって、開蓋時に、該薄肉壁部を簡単に変形させることができるので、上蓋とキャップ本体とが強固に嵌合していても簡単に開蓋することができる。
【図面の簡単な説明】
【００１１】
【図１】本発明第１実施例のヒンジキャップの説明図で、（ａ）は側断面図、（ｂ）は上面図である。
【図２】ヒンジキャップの説明図で、（ａ）は開蓋時の側面図、（ｂ）は上蓋の一部断面正面図である。
【図３】開蓋する際のヒンジキャップの説明図で、（ａ）は開蓋初期の側断面図、（ｂ）は開蓋中期の側断面図である。
【図４】本発明第２実施例のヒンジキャップの説明図で、（ａ）は側断面図、（ｂ）は上面図である。
【図５】ヒンジキャップの説明図で、（ａ）は開蓋時の側面図、（ｂ）は上蓋の一部断面正面図である。
【図６】開蓋初期のヒンジキャップの側断面図である。
【図７】本発明第３実施例のヒンジキャップの説明図で、（ａ）は側断面図、（ｂ）は上蓋の一部断面正面図である。
【図８】開蓋初期のヒンジキャップの側断面図である。
【発明を実施するための最良の形態】
【００１２】
次に、本発明のヒンジキャップについて、実施例をあげ、図面を参照して説明する。
【実施例１】
【００１３】
図１、２において、Ａは容器本体に打栓されるキャップ本体、Ｂはキャップ本体ＡにヒンジＣを介して一体成形された上蓋である。
【００１４】
キャップ本体Ａは、底壁１と、底壁１の周縁に立設される注出筒２と、底壁１周縁に連設されるリング状の上壁３と、上壁３の上面に立設される蓋係合筒部４と、上壁３の下面に垂設される内筒５と、上壁３の外縁に連設され、外周上端の所定の位置にヒンジＣを連設する外周筒６とを具えている。
キャップ本体Ａは、打栓時に、内筒５外周と外周筒６内周により、容器本体の口筒部を挟持することによって、容器本体の口筒部に装着される。
【００１５】
底壁１には、注出口を開口する薄肉の弱化部１０が設けられており、底壁１の上面には、弱化部１０の区画内に、注出口の開口時に引上げるプルリング１１が支柱を介して立設されている。
【００１６】
上蓋Ｂは、頂壁１５と、頂壁１５の周縁に垂設され、外周下端の所定の位置にヒンジＣを連設する外筒壁１６と、頂壁１５下面に垂設され、キャップ本体Ａの注出筒２の内周に挿入される内筒壁１７とを具えている。
【００１７】
外筒壁１６は、内周の中程から下部の間で内方に突出し、上部に比べ周壁が肉厚となる肉厚外周壁１６ａとなっている。
【００１８】
外筒壁１６の内周下端部には、キャップ本体Ａの蓋係合筒部４の上面および外周と係合する係合部２０が凹設されている。
【００１９】
外筒壁１６のヒンジＣの反対側の外周には、中央から両側の所定の位置まで周方向に延び、下端部１６ｂを残して上方から凹設される外周凹部２１が形成されており、下端部１６ｂの中央には、摘み片２２が配設されている。
外筒壁１６の外周凹部２１がある部分は、周壁の厚さが、他の部分の周壁の厚さに比べ薄肉となる薄肉壁部１６ｃとなっている。
【００２０】
次に、本実施例のヒンジキャップの作用効果について説明する。
上蓋Ｂの外筒壁１６の係合部２０とキャップ本体Ａの蓋係合筒部４とを嵌合させ、上蓋Ｂをキャップ本体Ａに閉蓋する。
【００２１】
閉蓋の際には、上蓋Ｂの外周壁１６の肉厚外周壁１６ａが肉厚であることにより、外周壁１６の下部の保形性が良く、蓋係合筒部４と係合部２０との嵌合をより強固に保つことができる。
【００２２】
開蓋の際には、上蓋Ｂの摘み片２２を上方に持ち上げる。
摘み片２２が持ち上げられると、外筒壁１６の薄肉壁部１６ｃは、外筒壁１６の他の周壁より薄肉となっているので、図３（ａ）に示すように、摘み片２２側から薄肉壁部１６ｃが変形し、持ち上げられていく。
【００２３】
外筒壁１６の薄肉壁部１６ｃが変形し、持ち上げられると、図３（ｂ）に示すように、薄肉壁部１６ｃ付近の外筒壁１６の係合部２０と、蓋係合筒部４との嵌合が外される。
【００２４】
さらに、上蓋Ｂが持ち上げられると、他の外筒壁１６の係合部２０と蓋係合筒部４との嵌合が薄肉壁部１６ｃ側から外され、上蓋Ｂが開蓋される。  
【００２５】
本実施例のヒンジキャップは、上蓋Ｂの外周壁１６に薄肉壁部１６ｃを設け、開蓋の際に、その部分の壁が変形するので、上蓋Ｂの係合部２０とキャップ本体Ａの蓋係合筒部４との嵌合が強固であっても、簡単に開蓋することができる。
【００２６】
上記実施例では、上蓋Ｂの外筒壁１６のヒンジＣの反対側の外周に、外周凹部２１が中央から両側の所定の位置までの範囲に形成されているが、外筒壁１６に薄肉壁部１６ｃを形成し、開蓋の際に変形させることができれば良いので、外筒壁１６を簡単に変形させる範囲、例えば、少なくとも、図１に示す、摘み片２２の横幅ほどの範囲で外周凹部２１を凹設し、薄肉壁部１６ｃを形成するようにしても良い。
【００２７】
また、図１〜２に示すように、外周凹部２１は中央から両側の所定の位置までの範囲でほぼ同じ深さで外周壁１６の外周を切欠いているが、外筒壁１６のヒンジＣの反対側の中央付近が変形し易くなるように薄肉壁部１６ｃを形成できればよいので、中央を深くし、両側に向かい他の外周壁１６の外周に連続するように徐々に浅くなるように外周凹部２１を切欠いて、薄肉壁部１６ｃが、中央が薄く、両側に向かい徐々に厚くなるようにしても良い。
外筒壁１６の外周凹部２１および薄肉壁部１６ｃの範囲および形状は、上記実施例の形態に限定されない。
【実施例２】
【００２８】
次に、第１実施例の上蓋の外筒壁の構成を変えた第２実施例について説明する。
本実施例は、第１実施例と同一の構成部分には同一の符号を付して図示して詳しい説明を省略し、相違点を中心に説明する。  
【００２９】
図４、５において、Ａは容器本体に打栓されるキャップ本体、Ｂａはキャップ本体ＡにヒンジＣを介して一体成形された上蓋である。
【００３０】
上蓋Ｂａは、頂壁１５と、頂壁１５の周縁に垂設され、外周下端の所定の位置にヒンジＣを連設する外筒壁２５と、頂壁１５下面に垂設され、キャップ本体Ａの注出筒２の内周に挿入される内筒壁１７とを具えている。
【００３１】
外筒壁２５は、内周の中程から下部の間で内方に突出し、上部に比べ周壁が肉厚となる肉厚外周壁２５ａとなっている。
【００３２】
外筒壁２５の内周下端部には、キャップ本体Ａの蓋係合筒部４の上面および外周と係合する係合部２６が凹設されている。
【００３３】
外筒壁２５のヒンジＣの反対側の外周には、下端部２５ｂを残し一定の高さに、中央から両側の所定の位置まで周方向に延びる外周凹溝２７が凹設されており、下端部２５ｂの中央には、摘み片２８が配設されている。
外筒壁２５の外周凹溝２７がある部分は、周壁の厚さが、他の部分の周壁の厚さに比べ薄肉となる薄肉壁部２５ｃとなっている。
【００３４】
次に、本実施例のヒンジキャップの作用効果について説明する。
上蓋Ｂａの外筒壁２５の係合部２６とキャップ本体Ａの蓋係合筒部４とを嵌合させ、上蓋Ｂａをキャップ本体Ａに閉蓋する。
【００３５】
開蓋の際には、上蓋Ｂａの摘み片２８を上方に持ち上げる。
摘み片２８が持ち上げられると、外筒壁２５の薄肉壁部２５ｃは、他の外筒壁２５の壁より薄肉となっているので、図６に示すように、摘み片２８側から薄肉壁部２５ｃが変形し、持ち上げられていく。
【００３６】
外筒壁２５の薄肉壁部２５ｃが変形し、持ち上げられると、薄肉壁部２５ｃ付近の外筒壁２５の係合部２６と、蓋係合筒部４との嵌合が外され、さらに、上蓋Ｂａを持ち上げられると、他の外筒壁２５の係合部２６と蓋係合筒部４との嵌合が薄肉壁部２５ｃ側から外され、上蓋Ｂａが開蓋される。  
その他の作用効果は、実施例１と同じである。
【００３７】
本実施例のヒンジキャップは、上蓋Ｂａの外周壁２５に外周凹溝２７を凹設し、薄肉壁部２５ｃを設け、開蓋の際に、その部分の壁が変形するので、上蓋Ｂａの係合部２６とキャップ本体Ａの蓋係合筒部４との嵌合が強固であっても、簡単に開蓋することができる。
【００３８】
上記実施例では、図４〜５に示すように、外周凹溝２７は中央から両側の所定の位置までの範囲でほぼ同じ深さで外周壁２５の外周に凹設されているが、外筒壁２５のヒンジＣの反対側の中央付近が変形し易くなるように薄肉壁部２５ｃを形成できればよいので、中央を深くし、両側に向かい他の外周壁２５の外周に連続するように徐々に浅くなるように外周凹溝２７を凹設して、薄肉壁部２５ｃが、中央が薄く、両側に向かい徐々に厚くなるようにしても良い。
また、外周凹溝２７の上下方向の深さも、中央部が深く、上下方向に向かい徐々に浅くなるようしても良い。
外筒壁２５の外周凹溝２７および薄肉壁部２５ｃの範囲および形状は、上記実施例の形態に限定されない。
【実施例３】
【００３９】
次に、第２実施例の上蓋の外筒壁の構成を変えた第３実施例について説明する。
本実施例は、第２実施例と同一の構成部分には同一の符号を付して図示して詳しい説明を省略し、相違点を中心に説明する。  
【００４０】
図７において、Ａは容器本体に打栓されるキャップ本体、Ｂｂはキャップ本体ＡにヒンジＣを介して一体成形された上蓋である。
【００４１】
上蓋Ｂｂは、頂壁１５と、頂壁１５の周縁に垂設され、外周下端の所定の位置にヒンジＣを連設する外筒壁３０と、頂壁１５下面に垂設され、キャップ本体Ａの注出筒２の内周に挿入される内筒壁１７とを具えている。
【００４２】
外筒壁３０は、内周の中程から下部の間で内方に突出し、上部に比べ周壁が肉厚となる肉厚外周壁３０ａとなっている。
【００４３】
外筒壁３０の内周下端部には、キャップ本体Ａの蓋係合筒部４の上面および外周と係合する係合部３１が凹設されている。
【００４４】
外筒壁３０のヒンジＣの反対側の外周には、下端部３０ｂと上端部３０ｃを残し、中央から両側の所定の位置まで周方向に延びる指掛け凹部３２が凹設されており、下端部３０ｂの中央には、摘み片３３が配設されている。
【００４５】
指掛け凹部３２の下端部３０ｂ側には、中央からほぼ摘み片３３の幅に両側へ延びる変形用凹部３４が凹設されている。
外筒壁３０の指掛け凹部３２がある部分は、周壁の厚さが、他の部分の周壁の厚さに比べ薄肉となる薄肉壁部３０ｄとなっており、さらに、外筒壁３０の変形用凹部３４がある部分は、周壁の厚さが、薄肉壁部３０ｄの周壁の厚さに比べさらに薄肉となる最薄肉壁部３０ｅとなっている。
【００４６】
次に、本実施例のヒンジキャップの作用効果について説明する。
上蓋Ｂｂの外筒壁３０の係合部３１とキャップ本体Ａの蓋係合筒部４とを嵌合させ、上蓋Ｂｂをキャップ本体Ａに閉蓋する。
【００４７】
開蓋の際には、指を上蓋Ｂｂの摘み片３３に掛け、上方に持ち上げる。
摘み片３３が持ち上げられると、外筒壁３０の薄肉壁部３０ｄおよび最薄肉壁部３０ｅは、外筒壁３０の他の部分の周壁より薄肉となっているので、摘み片３３側から薄肉壁部３０ｄおよび最薄肉壁部３０ｅが変形し、持ち上げられていく。
【００４８】
外筒壁３０の薄肉壁部３０ｄおよび最薄肉壁部３０ｅが変形し、持ち上げられると、薄肉壁部３０ｄ付近の外筒壁３０の係合部３１と、蓋係合筒部４との嵌合が外され、さらに、上蓋Ｂｂを持ち上げると、他の外筒壁３０の係合部３１と蓋係合筒部４との嵌合が薄肉壁部３０ｄ側から外され、上蓋Ｂｂが開蓋される。  
【００４９】
また、本実施例では、開蓋の際に、指を上蓋Ｂｂの指掛け凹部３２、特に上端部３０ｃ下部に掛け、外周壁３０のヒンジの反対側を上方に持ち上げてもよい。
【００５０】
指掛け凹部３２に指を掛けて持ち上げると、外筒壁３０の係合部３１と、蓋係合筒部４との係合により、外筒壁３０の下部、特にヒンジの反対側が下方に引っ張られるとともに、外筒壁３０の最薄肉壁部３０ｅが特に薄肉となっているので、最薄肉壁部３０ｅが簡単に変形し、図８に示すように、最薄肉壁部３０ｅ付近の外筒壁３０の下部が外方に向けて変形していく。
【００５１】
最薄肉壁部３０ｅ付近の外筒壁３０の下部が外方に向けて変形していくと、最薄肉壁部３０ｅ付近の外筒壁３０の係合部３１と、蓋係合筒部４との嵌合が外され、さらに、上蓋Ｂｂを持ち上げると、他の外筒壁３０の係合部３１と蓋係合筒部４との嵌合が最薄肉壁部３０ｅ側から外され、上蓋Ｂｂを開蓋することができる。  
その他の作用効果は、実施例２と同じである。
【００５２】
本実施例のヒンジキャップは、上蓋Ｂｂの外周壁３０に指掛け凹部３２を凹設し、さらに、指掛け凹部３２に変形用凹部３４を凹設し、最薄肉壁部３０ｅを設け、開蓋の際に、指掛け凹部３２に指を掛け、持ち上げることにより、最薄肉壁部３０ｅ付近の壁が簡単に変形するので、上蓋Ｂｂの係合部３１とキャップ本体Ａの蓋係合筒部４との嵌合が強固であっても、簡単に開蓋することができる。
【００５３】
上記各実施例では、上蓋の外筒壁の下部に、上部に比べ周壁が内方に肉厚となる肉厚外周壁を形成し、閉蓋の際に外周壁の下部の保形性を良くし、蓋係合筒部と係合部との嵌合を、より強固に保つようにしているが、別に、上蓋の係合部とキャップ本体の蓋係合筒部との嵌合をそれほど強固にしなくてもいい場合は、肉厚外周壁を設けなくてもよい。
上蓋の外筒壁の内周の構成は、上記各実施例の形態に限定されない。
【産業上の利用可能性】
【００５４】
本発明は、上蓋の外筒壁の一部に薄肉壁部を設けることによって、ヒンジキャップを開蓋する際に、該薄肉壁部を簡単に変形させることができるので、上蓋とキャップ本体とが強固に嵌合していても簡単に開蓋することができ、各種の容器のヒンジキャップとして、広く利用することができる。
【符号の説明】
【００５５】
Ａ            キャップ本体
Ｂ、Ｂａ、Ｂｂ  上蓋
Ｃ            ヒンジ
１            底壁
２            注出筒
３            上壁
４            蓋係合筒部
５            内筒
６            外周筒
１０          弱化部
１１          プルリング
１５          頂壁
１６、２５、３０  外筒壁
１６ａ、２５ａ、３０ａ  肉厚外周壁
１６ｂ、２５ｂ、３０ｂ  下端部
１６ｃ、２５ｃ、３０ｄ  薄肉壁部
１７          内筒部
２０、２６、３１  係合部
２１          外周凹部
２２、２８、３３  摘み片
２７          外周凹溝
３０ｃ        上端部
３０ｅ        最薄肉壁部
３２          指掛け凹部
３４          変形用凹部
【図１】
2013151326.tif 000003
【図２】
2013151326.tif 000004
【図３】
2013151326.tif 000005
【図４】
2013151326.tif 000006
【図５】
2013151326.tif 000007
【図６】
2013151326.tif 000008
【図７】
2013151326.tif 000009
【図８】
2013151326.tif 000010